(57)【要約】【課題】効率的にカレントミラー回路のトランジスタのベース電流を確保する。【解決手段】点灯装置２００のカレントミラー回路を構成する複数のトランジスタ３０２ａ〜３０２ｄは、それぞれのコレクタ端子を、並列に接続された複数のＬＥＤユニット３０１ａ〜３０１ｄに１対１で接続し、ベース端子を、基準ユニットとなるＬＥＤユニット３０１ａに共通に接続している。ベース電流補償回路４００は、基準ユニットと基準ユニットに接続されたトランジスタ３０２ａ〜３０２ｄのベース端子との間に接続され、基準ユニットからトランジスタ３０２ａ〜３０２ｄのベース端子に流れる電流を補償する。電圧補償回路５００は、ベース電流補償回路４００と基準ユニットに接続されたトランジスタ３０２ａ〜３０２ｄのベース端子との間で、ベース電流補償回路４００と直列に接続され、所定レベルの電圧降下を発生させる。【選択図】図３
2011003649.tif 000002
【特許請求の範囲】
【請求項１】
並列に接続された複数のＬＥＤユニットのそれぞれに電流を供給する電源回路と、
それぞれのコレクタ端子を前記複数のＬＥＤユニットに１対１で接続した複数のトランジスタを有し、前記複数のトランジスタのベース端子を前記複数のＬＥＤユニットの１つである基準ユニットに共通に接続して、前記電源回路から前記基準ユニット以外のＬＥＤユニットに流れる電流が前記電源回路から前記基準ユニットに流れる電流と略同一となるように構成されたカレントミラー回路と、
前記基準ユニットと前記基準ユニットに接続されたトランジスタのベース端子との間に接続され、前記基準ユニットから前記複数のトランジスタのベース端子に流れる電流を補償するベース電流補償回路と、
前記基準ユニットと前記ベース電流補償回路との間、又は、前記ベース電流補償回路と前記基準ユニットに接続されたトランジスタのベース端子との間で、前記ベース電流補償回路と直列に接続され、所定レベルの電圧降下を発生させる電圧補償回路とを備えることを特徴とする点灯装置。
【請求項２】
前記電圧補償回路は、ダイオードとシャントレギュレータと抵抗と定電圧ダイオードとＬＥＤとの少なくともいずれかを有することを特徴とする請求項１に記載の点灯装置。
【請求項３】
前記点灯装置は、さらに、
前記複数のＬＥＤユニットに流れる電流の総和を検出し、検出した電流の総和が一定となるように前記電源回路を制御する定電流制御回路を備えることを特徴とする請求項１又は２に記載の点灯装置。
【請求項４】
請求項１から３までのいずれかに記載の点灯装置と、
前記複数のＬＥＤユニットとを備え、
前記複数のＬＥＤユニットは、複数のＬＥＤを直列に接続したものであることを特徴とする照明装置。
【請求項５】
請求項４に記載の照明装置と、
前記照明装置の複数のＬＥＤユニットによって照らされる表示部とを備えることを特徴とする表示装置。
【発明の詳細な説明】
【技術分野】
【０００１】
本発明は、点灯装置、及び、この点灯装置を備える照明装置及び表示装置に関するものである。本発明は、特に、発光ダイオード（ＬＥＤ）を光源とする点灯装置に関するものである。
【背景技術】
【０００２】
従来技術として、直列となる関係により接続された所定数のＬＥＤを含んで形成される複数の直列駆動回路部と、これら複数の直列駆動回路部のうちで基準となる直列駆動回路部に対して一定量の電流を出力するようにして動作し、複数の直列駆動回路部が上記電流の出力に対して並列に接続される定電流回路と、複数の直列駆動回路部の各々に流れる電流量が同じとなるようにして形成されるカレントミラー回路と、基準となる直列駆動回路部において、所定レベルの電圧降下が生じるようにして、この基準となる直列駆動回路部を形成するＬＥＤに対して直列となる関係により挿入される電圧降下発生回路とを備えてＬＥＤの駆動回路を構成したものがある（例えば、特許文献１参照）。
【先行技術文献】
【特許文献】
【０００３】
【特許文献１】特開２００７−２７３１６号公報
【発明の概要】
【発明が解決しようとする課題】
【０００４】
従来技術では、カレントミラー回路のトランジスタのベース電流を確保するために、定電流回路から多量の電流を出力する必要があった。
【０００５】
本発明は、例えば、効率的にカレントミラー回路のトランジスタのベース電流を確保することを目的とする。
【課題を解決するための手段】
【０００６】
本発明の一の態様に係る点灯装置は、
並列に接続された複数のＬＥＤユニットのそれぞれに電流を供給する電源回路と、
それぞれのコレクタ端子を前記複数のＬＥＤユニットに１対１で接続した複数のトランジスタを有し、前記複数のトランジスタのベース端子を前記複数のＬＥＤユニットの１つである基準ユニットに共通に接続して、前記電源回路から前記基準ユニット以外のＬＥＤユニットに流れる電流が前記電源回路から前記基準ユニットに流れる電流と略同一となるように構成されたカレントミラー回路と、
前記基準ユニットと前記基準ユニットに接続されたトランジスタのベース端子との間に接続され、前記基準ユニットから前記複数のトランジスタのベース端子に流れる電流を補償するベース電流補償回路と、
前記基準ユニットと前記ベース電流補償回路との間、又は、前記ベース電流補償回路と前記基準ユニットに接続されたトランジスタのベース端子との間で、前記ベース電流補償回路と直列に接続され、所定レベルの電圧降下を発生させる電圧補償回路とを備えることを特徴とする。
【発明の効果】
【０００７】
本発明の一の態様によれば、点灯装置が、並列に接続された複数のＬＥＤユニットのそれぞれに接続した複数のトランジスタのベース端子を前記複数のＬＥＤユニットの１つである基準ユニットに共通に接続して、電源回路から前記基準ユニット以外のＬＥＤユニットに流れる電流が前記電源回路から前記基準ユニットに流れる電流と略同一となるように構成されたカレントミラー回路と、前記基準ユニットと前記基準ユニットに接続されたトランジスタのベース端子との間に接続され、前記基準ユニットから前記複数のトランジスタのベース端子に流れる電流を補償するベース電流補償回路と、前記基準ユニットと前記ベース電流補償回路との間、又は、前記ベース電流補償回路と前記基準ユニットに接続されたトランジスタのベース端子との間で、前記ベース電流補償回路と直列に接続され、所定レベルの電圧降下を発生させる電圧補償回路とを備えることにより、効率的に前記複数のトランジスタのベース電流を確保することが可能となる。
【図面の簡単な説明】
【０００８】
【図１】実施の形態１に係る誘導灯の外観を示す三面図である。
【図２】実施の形態１に係るパネルユニットの内部構造を示す分解図である。
【図３】実施の形態１に係る点灯装置の回路構成を示す回路図である。
【図４】実施の形態２に係る点灯装置の回路構成を示す回路図である。
【図５】実施例１に係る点灯装置の回路構成を示す回路図である。
【図６】実施例２に係る点灯装置の回路構成を示す回路図である。
【図７】実施例３に係る点灯装置の回路構成を示す回路図である。
【図８】実施例４に係る点灯装置の回路構成を示す回路図である。
【図９】実施例５に係る点灯装置の回路構成を示す回路図である。
【図１０】実施の形態３に係る点灯装置の回路構成を示す回路図である。
【図１１】実施の形態４に係る点灯装置の回路構成を示す回路図である。
【図１２】実施例６に係る点灯装置の回路構成を示す回路図である。
【発明を実施するための形態】
【０００９】
以下、本発明の実施の形態について、図を用いて説明する。
【００１０】
実施の形態１．
図１は、本実施の形態に係る誘導灯１００（表示装置）の外観を示す三面図である。
【００１１】
図１において、誘導灯１００は、例えば、天井等に取り付けて使用する両面タイプの誘導灯であり、本体１１０、電源ユニット１２０、２枚のパネルユニット１３０を有する。
【００１２】
本体１１０及び電源ユニット１２０は、天井に埋め込まれる部分であり、ＬＥＤの点灯装置やバッテリ等を内蔵する。パネルユニット１３０は、室内から目視できる部分であり、非常口等、避難誘導を示す図柄が描かれている。２枚のパネルユニット１３０は、互いに背中合わせに配置され、誘導灯１００の前方及び後方の双方から、避難誘導の図柄を見ることができる。パネルユニット１３０は、ＬＥＤを内蔵し、内蔵したＬＥＤによって照らされて、発光する。
【００１３】
図２は、パネルユニット１３０の内部構造を示す分解図である。
【００１４】
図２において、パネルユニット１３０は、２つのＬＥＤユニット１３１、導光板１３２、誘導灯表示板１３３（表示部）を有する。
【００１５】
ＬＥＤユニット１３１は、１つのＬＥＤ、又は、直列接続した複数のＬＥＤを有する。ＬＥＤユニット１３１のＬＥＤは、下向きに発光するよう配置されている。導光板１３２は、ＬＥＤユニット１３１のＬＥＤが発光した下向きの光を導いて、誘導灯表示板１３３を照らす横向きの光に変換する。誘導灯表示板１３３は、避難誘導の図柄が描かれた樹脂製の板であり、導光板１３２が導いた光に照らされて発光する。
【００１６】
本実施の形態において、誘導灯１００は、後述する点灯装置と複数のＬＥＤユニット１３１とを備える照明装置と、照明装置の複数のＬＥＤユニット１３１によって照らされる表示部とを備える表示装置の例である。本実施の形態は、誘導灯１００以外の表示灯にも適用可能である。また、モニタ等、表示灯以外の表示装置にも適用可能である。
【００１７】
図３は、点灯装置２００の回路構成を示す回路図である。
【００１８】
図３において、点灯装置２００は、定電流を出力する定電流電源２１０（電源回路）と、この定電流電源２１０に接続される複数の直列回路部３００ａ〜３００ｄと、直列回路部３００ａと定電流電源２１０に接続されるベース電流補償回路４００と、このベース電流補償回路４００と複数の直列回路部３００ａ〜３００ｄに接続される電圧補償回路５００と、複数の直列回路部３００ａ〜３００ｄに接続され、これら複数の直列回路部３００ａ〜３００ｄに流れる電流の総和を検出して一定の電流となるように定電流電源２１０に制御信号を出力する電流フィードバック回路６００とを備える。
【００１９】
定電流電源２１０は、外部からの電源、例えば交流電源や直流電源を入力して、所望の電圧の直流電圧に変換し、電流フィードバック回路６００の制御信号に基づいて、略一定の定電流を発生する。
【００２０】
直列回路部３００ａは、ＬＥＤユニット３０１ａ（前述したＬＥＤユニット１３１）と、このＬＥＤユニット３０１ａにコレクタ端子が接続されるトランジスタ３０２ａと、このトランジスタ３０２ａのエミッタ端子に接続されるエミッタ抵抗３０３ａとを備える。トランジスタ３０２ａのコレクタ端子は、ベース電流補償回路４００に接続される。
【００２１】
直列回路部３００ｂは、ＬＥＤユニット３０１ｂ（前述したＬＥＤユニット１３１）と、このＬＥＤユニット３０１ｂにコレクタ端子が接続されるトランジスタ３０２ｂと、このトランジスタ３０２ｂのエミッタ端子に接続されるエミッタ抵抗３０３ｂとを備える。直列回路部３００ｃは、同様に、ＬＥＤユニット３０１ｃ（前述したＬＥＤユニット１３１）と、トランジスタ３０２ｃと、エミッタ抵抗３０３ｃとを備える。また、直列回路部３００ｄは、同様に、ＬＥＤユニット３０１ｄ（前述したＬＥＤユニット１３１）と、トランジスタ３０２ｄと、エミッタ抵抗３０３ｄとを備える。
【００２２】
エミッタ抵抗３０３ａ〜３０３ｄは、エミッタ抵抗３０３ａ〜３０３ｄに流れる電流によって発生する電位をもつことで、トランジスタ３０２ａ〜３０２ｄのベース−エミッタ間電圧Ｖｂｅのばらつきを吸収し、各ラインに流れる電流のばらつきを抑制する効果がある。
【００２３】
トランジスタ３０２ａ〜３０２ｄとエミッタ抵抗３０３ａ〜３０３ｄは、カレントミラー回路を構成する。一般に、カレントミラー回路とは、あたかも鏡に映されたかのように、入力した電流と同じ電流が出力される回路で、従来から２つ以上の回路電流を同じ値にする手段として用いられている。本実施の形態におけるカレントミラー回路はベース電流補償型と呼ばれる回路で、ベース電流を別に供給することにより、主電流が流れるトランジスタ３０２ａ〜３０２ｄのベース電流の影響を小さくできるものである。
【００２４】
ベース電流補償回路４００は、直列回路部３００ａに接続されるベース抵抗４０１と、定電流電源２１０に接続されるベース電流補償抵抗４０２と、ベース抵抗４０１にベース端子が接続され、ベース電流補償抵抗４０２にコレクタ端子が接続されるベース電流補償トランジスタ４０３とを備える。
【００２５】
電圧補償回路５００は、一端がベース電流補償トランジスタ４０３のエミッタ端子に接続され、他端がトランジスタ３０２ａ〜３０２ｄのそれぞれのベース端子に接続される。
【００２６】
電流フィードバック回路６００は、一端がエミッタ抵抗３０３ａ〜３０３ｄに接続され、他端が定電流電源２１０に接続される電流フィードバック抵抗６０１と、この電流フィードバック抵抗６０１に接続され、定電流電源２１０に制御信号を出力する定電流制御回路６０２とを備える。定電流制御回路６０２は、電流フィードバック抵抗６０１に発生する電圧から、直列回路部３００ａ〜３００ｄに流れる電流の総和に相当する総和電流を検知し、この総和電流が略一定の定電流となるように、定電流電源２１０を制御する。
【００２７】
次に、点灯装置２００の動作について説明する。
【００２８】
定電流電源２１０は、直列回路部３００ａ〜３００ｄ、ベース電流補償回路４００に電流を供給すると、ＬＥＤユニット３０１ａ、ベース抵抗４０１を介してベース電流補償トランジスタ４０３のベースに電流が流れる。そして、電圧補償回路５００を介して、トランジスタ３０２ａ〜３０２ｄのベースに電流が流れ、エミッタ抵抗３０３ａ〜３０３ｄ、電流フィードバック抵抗６０１を介して定電流電源２１０に電流が流れる。また、ベース電流補償トランジスタ４０３にベース電流が流れるので、ベース電流補償抵抗４０２に電流が流れる。さらに、トランジスタ３０２ａ〜３０２ｄにベース電流が流れるので、定電流電源２１０が供給する電流は、ＬＥＤユニット３０１ｂ〜３０１ｄにも流れる。このとき、ベース電流補償回路４００を介して、トランジスタ３０２ａ〜３０２ｄに同じ電流値の電流が流れるので、直列回路部３００ａ〜３００ｄには略同じ電流が流れることになる。
【００２９】
このように、本実施の形態において、定電流電源２１０は、並列に接続された複数のＬＥＤユニット３０１ａ〜３０１ｄのそれぞれに電流を供給する。カレントミラー回路を構成する複数のトランジスタ３０２ａ〜３０２ｄは、それぞれのコレクタ端子を複数のＬＥＤユニット３０１ａ〜３０１ｄに１対１で接続している。また、トランジスタ３０２ａ〜３０２ｄは、ベース端子を、複数のＬＥＤユニット３０１ａ〜３０１ｄのうち、基準ユニットとなるＬＥＤユニット３０１ａに共通に接続している。これにより、定電流電源２１０から基準ユニット以外のＬＥＤユニット３０１ｂ〜３０１ｄに流れる電流が、定電流電源２１０から基準ユニットに流れる電流と略同一となるようにカレントミラー回路を構成している。
【００３０】
また、本実施の形態において、ベース電流補償回路４００は、基準ユニットであるＬＥＤユニット３０１ａとＬＥＤユニット３０１ａに接続されたトランジスタ３０２ａ〜３０２ｄのベース端子との間に接続され、ＬＥＤユニット３０１ａからトランジスタ３０２ａ〜３０２ｄのベース端子に流れる電流を補償する。これにより、カレントミラー回路のトランジスタ３０２ａ〜３０２ｄのベース電流を確保するために、定電流電源２１０からＬＥＤユニット３０１ａ〜３０１ｄに多量の電流を出力する必要がなくなる。即ち、効率的にカレントミラー回路のトランジスタ３０２ａ〜３０２ｄのベース電流を確保することが可能となる。
【００３１】
また、本実施の形態において、電圧補償回路５００は、ベース電流補償回路４００と基準ユニットであるＬＥＤユニット３０１ａに接続されたトランジスタ３０２ａ〜３０２ｄのベース端子との間で、ベース電流補償回路４００と直列に接続され、所定レベルの電圧降下を発生させる。
【００３２】
通常、ＬＥＤユニット３０１ａ〜３０１ｄがもつ順方向電圧Ｖｆ（オン電圧）のばらつきは大きく、例えば、日亜化学（株）製発光ダイオード（型名：ＮＦＳＷ０３６ＣＴ）のＶｆの最小値（実力値）は３．０Ｖ（ボルト）、Ｖｆの最大値（カタログ値）は３．８Ｖである。仮に、ＬＥＤユニット３０１ａのＶｆが最小値３．０Ｖで、ＬＥＤユニット３０１ｂ〜３０１ｄのいずれかのＶｆが最大値３．８Ｖであり、しかもベース電流補償トランジスタ４０３のＶｂｅ（ベース−エミッタのオン電圧）等が０．８Ｖに満たないとすると、電圧補償回路５００による電圧降下がなければ、ＬＥＤユニット３０１ａのＶｆとベース電流補償トランジスタ４０３のＶｂｅ等を加算した電圧よりも、ＬＥＤユニット３０１ｂ〜ＬＥＤユニット３０１ｄのＶｆの方が低くなる。この場合、Ｖｆが３．８ＶのＬＥＤユニット３０１ｂ〜３０１ｄには基準ユニットであるＬＥＤユニット３０１ａと同じ電流が流れない。
【００３３】
そこで、上記のように、ベース電流補償回路４００と直列に電圧補償回路５００を介在させることによって、ＬＥＤユニット３０１ａ〜３０１ｄのＶｆがばらついても、ＬＥＤユニット３０１ａのＶｆとベース電流補償トランジスタ４０３のＶｂｅ等と電圧補償回路５００の電圧とを加算した電圧が、ＬＥＤユニット３０１ｂ〜３０１ｄのＶｆを下回ることがないようにして、Ｖｆが３．８ＶのＬＥＤユニット３０１ｂ〜３０１ｄに基準ユニットであるＬＥＤユニット３０１ａと同じ電流が流れるようにしている。
【００３４】
また、本実施の形態において、定電流制御回路６０２は、エミッタ抵抗３０３ａ〜３０３ｄから出力される電流の総和（ＬＥＤユニット３０１ａ〜３０１ｄに流れる電流の総和）を検出し、検出した電流の総和が一定となるように定電流電源２１０を制御する。
【００３５】
以上説明したように、本実施の形態に係る点灯装置２００は、複数のＬＥＤユニット３０１ａ〜３０１ｄが並列に接続され、これら複数のＬＥＤユニット３０１ａ〜３０１ｄに定電流を供給する定電流回路（定電流電源２１０）と、複数のＬＥＤユニット３０１ａ〜３０１ｄにそれぞれのコレクタ端子が接続されるとともに、互いのベース端子が共通に接続されるトランジスタ３０２ａ〜３０２ｄを有し、複数のＬＥＤユニット３０１ａ〜３０１ｄのうち、１つのＬＥＤユニット３０１ａに流れる電流を基準電流とし、他のＬＥＤユニット３０１ｂ〜３０１ｄに流れる電流が基準電流と略同一になるように制御するカレントミラー回路とを備える。これにより、複数のＬＥＤユニット３０１ａ〜３０１ｄの発光輝度を一定化することができる。
【００３６】
さらに、点灯装置２００は、基準となるＬＥＤユニット３０１ａに接続されるトランジスタ３０２ａのコレクタ端子とベース端子との間に接続され、カレントミラー回路を構成するトランジスタ３０２ａ〜３０２ｄのベース電流を補償するベース電流補償回路４００を備える。これにより、カレントミラー回路を構成するトランジスタ３０２ａ〜３０２ｄのベース電流を効率的に確保することができる。
【００３７】
さらに、点灯装置２００は、ベース電流補償回路４００に対して直列となるように接続され、所定レベルの電圧降下を発生させる電圧補償回路５００を備える。これにより、ＬＥＤのＶｆのばらつきにより点灯装置２００が動作しないという事態を避けることができる。また、ＬＥＤユニット３０１ａ〜３０１ｄが複数のＬＥＤを直列に接続したもの（ＬＥＤアレイ）である場合、ＬＥＤのＶｆのばらつきが大きいため、電圧補償回路５００による電圧降下がなければ、元々Ｖｆが低いＬＥＤユニットの電圧と、元々Ｖｆが高いＬＥＤユニットでＬＥＤが１個短絡故障した場合の当該ＬＥＤユニットの電圧との差が小さく、ＬＥＤの短絡故障なのか、それとも、元々Ｖｆが低いＬＥＤユニットなのかを判別するのが困難であるが、本実施の形態によれば、このような問題を回避できる。
【００３８】
実施の形態２．
本実施の形態について、主に実施の形態１との差異を説明する。
【００３９】
本実施の形態は、実施の形態１に係る点灯装置２００の電圧補償回路５００を備える位置を変更したものである。
【００４０】
図４は、本実施の形態に係る点灯装置２００の回路構成を示す回路図である。
【００４１】
図４において、電圧補償回路５００は、一端が直列回路部３００ａに接続され、他端がベース抵抗４０１に接続される。
【００４２】
このように、本実施の形態において、電圧補償回路５００は、基準ユニットであるＬＥＤユニット３０１ａとベース電流補償回路４００との間で、ベース電流補償回路４００と直列に接続され、所定レベルの電圧降下を発生させる。効果については、実施の形態１と同様である。
【００４３】
なお、ベース抵抗４０１と電圧補償回路５００は直列に接続されるため、配置を入れ換えても構わない。即ち、電圧補償回路５００は、一端がベース抵抗４０１に接続され、他端がベース電流補償トランジスタ４０３のベース端子に接続されるようにしてもよい。
【００４４】
実施例１．
本実施例は、実施の形態１に係る点灯装置２００の具体例である。
【００４５】
図５は、本実施例に係る点灯装置２００の回路構成を示す回路図である。
【００４６】
図５において、点灯装置２００は、図３（実施の形態１）に示した電圧補償回路５００として、ダイオード５００ａを用いている。即ち、本実施例では、電圧補償回路５００がダイオード５００ａを有する。効果については、実施の形態１の説明で述べた通りである。
【００４７】
なお、本実施例と同様に、実施の形態２における電圧補償回路５００として、ダイオード５００ａを用いてもよい。また、ダイオード５００ａを複数用いたり、シャントレギュレータや抵抗等、他の素子とともに用いたりしてもよい。
【００４８】
実施例２．
本実施例は、実施の形態１に係る点灯装置２００の具体例である。
【００４９】
図６は、本実施例に係る点灯装置２００の回路構成を示す回路図である。
【００５０】
図６において、点灯装置２００は、図３（実施の形態１）に示した電圧補償回路５００として、シャントレギュレータ５００ｂを用いている。即ち、本実施例では、電圧補償回路５００がシャントレギュレータ５００ｂを有する。
【００５１】
ＬＥＤユニット３０１ａが複数のＬＥＤを直列に接続したもの（ＬＥＤアレイ）である場合、シャントレギュレータ５００ｂの基準電圧を変更することで異なるＬＥＤ数に対応できる。このとき、他のＬＥＤユニット３０１ｂ〜３０１ｄにも同じ数のＬＥＤを接続して、ＬＥＤユニット３０１ａ〜３０１ｄの間で、直列接続されるＬＥＤ群の総和したＶｆの差が大きくならないようにするか、他の方法（ＬＥＤの代わりにダイオード等を接続する）を用いて、ＬＥＤユニット３０１ａ〜３０１ｄの間で、Ｖｆの差が大きくならないようにすることが望ましい。
【００５２】
なお、本実施例と同様に、実施の形態２における電圧補償回路５００として、シャントレギュレータ５００ｂを用いてもよい。また、シャントレギュレータ５００ｂを複数用いたり、ダイオードや抵抗等、他の素子とともに用いたりしてもよい。
【００５３】
実施例３．
本実施例は、実施の形態１に係る点灯装置２００の具体例である。
【００５４】
図７は、本実施例に係る点灯装置２００の回路構成を示す回路図である。
【００５５】
図７において、点灯装置２００は、図３（実施の形態１）に示した電圧補償回路５００として、抵抗５００ｃを用いている。即ち、本実施例では、電圧補償回路５００が抵抗５００ｃを有する。効果については、実施の形態１の説明で述べた通りである。
【００５６】
なお、本実施例と同様に、実施の形態２における電圧補償回路５００として、抵抗５００ｃを用いてもよい。また、抵抗５００ｃを複数用いたり、ダイオードやシャントレギュレータ等、他の素子とともに用いたりしてもよい。
【００５７】
実施例４．
本実施例は、実施の形態１に係る点灯装置２００の具体例である。
【００５８】
図８は、本実施例に係る点灯装置２００の回路構成を示す回路図である。
【００５９】
図８において、点灯装置２００は、図３（実施の形態１）に示した電圧補償回路５００として、ツェナーダイオード５００ｄ（定電圧ダイオード）を用いている。即ち、本実施例では、電圧補償回路５００がツェナーダイオード５００ｄを有する。効果については、実施の形態１の説明で述べた通りである。
【００６０】
なお、本実施例と同様に、実施の形態２における電圧補償回路５００として、ツェナーダイオード５００ｄを用いてもよい。また、ツェナーダイオード５００ｄを複数用いたり、シャントレギュレータや抵抗等、他の素子とともに用いたりしてもよい。
【００６１】
実施例５．
本実施例は、実施の形態１に係る点灯装置２００の具体例である。
【００６２】
図９は、本実施例に係る点灯装置２００の回路構成を示す回路図である。
【００６３】
図９において、点灯装置２００は、図３（実施の形態１）に示した電圧補償回路５００として、ＬＥＤ５００ｅを用いている。即ち、本実施例では、電圧補償回路５００がＬＥＤ５００ｅを有する。効果については、実施の形態１の説明で述べた通りである。
【００６４】
なお、本実施例と同様に、実施の形態２における電圧補償回路５００として、ＬＥＤ５００ｅを用いてもよい。また、ＬＥＤ５００ｅを複数用いたり、ダイオードやシャントレギュレータや抵抗等、他の素子とともに用いたりしてもよい。
【００６５】
実施の形態３．
本実施の形態について、主に実施の形態１との差異を説明する。
【００６６】
本実施の形態は、実施の形態１に係る点灯装置２００のベース電流補償回路４００及び電圧補償回路５００をそれぞれ複数備えるようにしたものである。
【００６７】
図１０は、本実施の形態に係る点灯装置２００の回路構成を示す回路図である。
【００６８】
図１０において、点灯装置２００は、実施の形態１と同様に、定電流電源２１０と複数の直列回路部３００ａ〜３００ｄと電流フィードバック回路６００とを備えるほか、２つのベース電流補償回路４００，４００ｆと２つの電圧補償回路５００，５００ｆとを備える。
【００６９】
直列回路部３００ａのトランジスタ３０２ａのコレクタ端子は、実施の形態１と同様に、ベース電流補償回路４００に接続される。本実施の形態では、直列回路部３００ｃのトランジスタ３０２ｃのコレクタ端子が、ベース電流補償回路４００ｆに接続される。
【００７０】
トランジスタ３０２ａ〜３０２ｄとエミッタ抵抗３０３ａ〜３０３ｄは、カレントミラー回路を構成する。
【００７１】
ベース電流補償回路４００は、実施の形態１と同様に、直列回路部３００ａに接続されるベース抵抗４０１と、定電流電源２１０に接続されるベース電流補償抵抗４０２と、ベース抵抗４０１にベース端子が接続され、ベース電流補償抵抗４０２にコレクタ端子が接続されるベース電流補償トランジスタ４０３とを備える。ベース電流補償回路４００ｆは、同様に構成されており、直列回路部３００ｃに接続されるベース抵抗４０１ｆと、定電流電源２１０に接続されるベース電流補償抵抗４０２ｆと、ベース抵抗４０１ｆにベース端子が接続され、ベース電流補償抵抗４０２ｆにコレクタ端子が接続されるベース電流補償トランジスタ４０３ｆとを備える。
【００７２】
電圧補償回路５００は、一端がベース電流補償トランジスタ４０３のエミッタ端子に接続され、他端がトランジスタ３０２ａ〜３０２ｄのそれぞれのベース端子に接続される。電圧補償回路５００ｆは、一端がベース電流補償トランジスタ４０３ｆのエミッタ端子に接続され、他端が、ダイオード５０１を介してトランジスタ３０２ａ〜３０２ｄのそれぞれのベース端子に接続される。ベース電流補償トランジスタ４０３から電圧補償回路５００に電流が流れる場合、ベース電流補償トランジスタ４０３ｆから電圧補償回路５００ｆに電流が流れていても、電圧補償回路５００と電圧補償回路５００ｆとの電位関係からダイオード５０１を電流が流れないため、電圧補償回路５００からトランジスタ３０２ａ〜３０２ｄのそれぞれのベース端子に電流が流れる。ＬＥＤユニット３０１ａの故障等でベース電流補償トランジスタ４０３から電圧補償回路５００に電流が流れなくなった場合、ベース電流補償トランジスタ４０３ｆから電圧補償回路５００ｆ及びダイオード５０１を介してトランジスタ３０２ａ〜３０２ｄのそれぞれのベース端子に電流が流れる。つまり、２つの電圧補償回路５００，５００ｆが出力する電流のいずれかが、トランジスタ３０２ａ〜３０２ｄのベース端子に流れるが、ダイオード５０１があることにより、通常は、電圧補償回路５００が出力する電流がトランジスタ３０２ａ〜３０２ｄのベース端子に流れる（ＬＥＤユニット３０１ａが基準ユニットとなる）。そして、ＬＥＤユニット３０１ａの故障等があった場合のみ、電圧補償回路５００ｆが出力する電流がトランジスタ３０２ａ〜３０２ｄのベース端子に流れる（ＬＥＤユニット３０１ｃが基準ユニットとなる）。
【００７３】
電流フィードバック回路６００については、エミッタ抵抗３０３ａ〜３０３ｄに接続される２つの電流フィードバック抵抗６０１，６０１ｆを備える点を除き、実施の形態１と同様である。
【００７４】
本実施の形態によれば、直列回路部３００ａ〜３００ｄのいずれかが外されたり、故障したりしても、ベース電流補償回路４００，４００ｆが２つあるので、他の直列回路部３００ａ〜３００ｄに影響を与えることがない。
【００７５】
実施の形態４．
本実施の形態について、主に実施の形態３との差異を説明する。
【００７６】
本実施の形態は、実施の形態３に係る点灯装置２００の電流フィードバック回路６００の構成を変更したものである。
【００７７】
図１１は、本実施の形態に係る点灯装置２００の回路構成を示す回路図である。
【００７８】
図１１において、電流フィードバック回路６００は、定電流電源２１０に接続される可変抵抗である電流フィードバック抵抗６０１ａと、コレクタ端子がエミッタ抵抗３０３ａ，３０３ｂに接続され、エミッタ端子が電流フィードバック抵抗６０１ａに接続されるトランジスタ６０３と、コレクタ端子がエミッタ抵抗３０３ｃ，３０３ｄに接続され、エミッタ端子が電流フィードバック抵抗６０１ａに接続されるトランジスタ６０３ｆと、電流フィードバック抵抗６０１ａ及びトランジスタ６０３，６０３ｆのベース端子に接続され、定電流電源２１０に制御信号を出力する定電流制御回路６０２とを備える。定電流制御回路６０２は、トランジスタ６０３，６０３ｆのオン／オフを切り替えることにより、直列回路部３００ａ，３００ｂのＬＥＤユニット３０１ａ，３０１ｂのみを点灯したり、直列回路部３００ｃ，３００ｄのＬＥＤユニット３０１ｃ，３０１ｄのみを点灯したり、あるいは、直列回路部３００ａ〜３００ｄのＬＥＤユニット３０１ａ〜３０１ｄ全てを点灯したりすることができる。このとき、定電流制御回路６０２は、電流フィードバック抵抗６０１ａの抵抗値を、点灯するＬＥＤユニット３０１ａ〜３０１ｄの数に応じて変更する。
【００７９】
実施例６．
本実施例は、実施の形態４に係る点灯装置２００の具体例である。
【００８０】
図１２は、本実施例に係る点灯装置２００の回路構成を示す回路図である。
【００８１】
図１２において、点灯装置２００は、直流電源２１１と、ＤＣ−ＤＣコンバータ２１２と、入力スイッチ３１０，３１０ｆと、ＬＥＤユニット３０１ａ〜３０１ｄと、カレントミラー回路３２０，３２０ｆと、出力スイッチ６１０，６１０ｆと、電流検出回路６２０と、ＡＮＤ回路６３０と、制御回路７００とを有する。
【００８２】
ＬＥＤユニット３０１ａ，３０１ｂのアノード側は接続され、入力スイッチ３１０を介してＤＣ−ＤＣコンバータ２１２の出力端子（＋）２１３に接続される。同様に、ＬＥＤユニット３０１ｃ，３０１ｄのアノード側は接続され、入力スイッチ３１０ｆを介してＤＣ−ＤＣコンバータ２１２の出力端子（＋）２１３に接続される。入力スイッチ３１０，３１０ｆは、例えばトランジスタ等を用い、ベース端子に電圧を印加するとオンになるよう動作する。
【００８３】
カレントミラー回路３２０は、トランジスタ３０２ａ，３０２ｂ及びエミッタ抵抗３０３ａ，３０３ｂを有しており、ＬＥＤユニット３０１ａ，３０１ｂのカソード側と接続され、ＬＥＤユニット３０１ａ，３０１ｂに流れる電流が同一になるよう動作する。同様に、カレントミラー回路３２０ｆは、トランジスタ３０２ｃ，３０２ｄ及びエミッタ抵抗３０３ｃ，３０３ｄを有しており、ＬＥＤユニット３０１ｃ，３０１ｄのカソード側と接続され、ＬＥＤユニット３０１ｃ，３０１ｄに流れる電流が同一になるよう動作する。カレントミラー回路３２０ｆのベース電流補償トランジスタ４０３ｆに直列にダイオード５０１が接続されているため、前述したように、通常は、カレントミラー回路３２０内のベース電流補償トランジスタ４０３からトランジスタ３０２ａ〜３０２ｄのベース電流が供給される。そして、カレントミラー回路３２０ｆが単独で動作するときのみ、カレントミラー回路３２０ｆ内のベース電流補償トランジスタ４０３ｆからダイオード５０１を経由してトランジスタ３０２ｃ，３０２ｄのベース電流が供給される。
【００８４】
出力スイッチ６１０は、カレントミラー回路３２０の出力端、即ち、カレントミラー回路３２０を構成するトランジスタ３０２ａのエミッタ端子とトランジスタ３０２ｂのエミッタ端子とからエミッタ抵抗３０３ａ，３０３ｂを介して接続点に接続される。出力スイッチ６１０には、ＭＯＳ−ＦＥＴが用いられる。同様に、出力スイッチ６１０ｆは、カレントミラー回路３２０ｆの出力端、即ち、カレントミラー回路３２０ｆを構成するトランジスタ３０２ｃのエミッタ端子とトランジスタ３０２ｄのエミッタ端子とからエミッタ抵抗３０３ｃ，３０３ｄを介して接続点に接続される。出力スイッチ６１０ｆにも、ＭＯＳ−ＦＥＴが用いられる。さらに、出力スイッチ６１０と出力スイッチ６１０ｆとの電流出力が集中するよう１点で接続される。即ち、２つのＭＯＳ−ＦＥＴのソース端子が互いに接続され、電流検出回路６２０を介してＤＣ−ＤＣコンバータ２１２の帰還端子２１５に接続される。
【００８５】
電流検出回路６２０は、検出抵抗６２１と、この検出抵抗６２１と並列接続される検出抵抗６２２及びＭＯＳ−ＦＥＴ６２３の直列回路とから構成され、ＭＯＳ−ＦＥＴ６２３のゲート端子はＡＮＤ回路６３０の出力端子に接続される。
【００８６】
制御回路７００は、ＬＥＤユニット３０１ｂ，３０１ｄの故障検出入力とＬＥＤユニット３０１ａ〜３０１ｄの点灯スイッチとを制御するもので、例えばマイコンで実装される。制御回路７００は、ＬＥＤユニット３０１ｂの故障検出入力にＡ／Ｄ（アナログ／デジタル）変換機能をもつ故障検出端子（Ｂ）７０１を使用し、ＬＥＤユニット３０１ｄの故障検出入力に同様の故障検出端子（Ｄ）７０１ｆを使用する。故障検出端子（Ｂ）７０１はＬＥＤユニット３０１ｂのカソード側とトランジスタ３０２ｂのコレクタ端子との接続点電圧を入力する。同様に、故障検出端子（Ｄ）７０１ｆはＬＥＤユニット３０１ｄのカソード側とトランジスタ３０２ｄのコレクタ端子との接続点電圧を入力する。また、制御回路７００は、ＬＥＤユニット３０１ａ，３０１ｂの点灯制御に点灯スイッチ端子（ＡＢ）７０２を使用し、ＬＥＤユニット３０１ｃ，３０１ｄの点灯制御に点灯スイッチ端子（ＣＤ）７０２ｆを使用する。点灯スイッチ端子（ＡＢ）７０２は入力スイッチ３１０と出力スイッチ６１０とのＯＮ／ＯＦＦを制御し、点灯スイッチ端子（ＣＤ）７０２ｆは入力スイッチ３１０ｆと出力スイッチ６１０ｆとのＯＮ／ＯＦＦを制御する。点灯スイッチ端子（ＡＢ）７０２と点灯スイッチ端子（ＣＤ）７０２ｆとが出力レベル“Ｈ”（Ｈｉｇｈ）になると、入力スイッチ３１０及び出力スイッチ６１０、入力スイッチ３１０ｆ及び出力スイッチ６１０ｆがＯＮとなる。また、点灯スイッチ端子（ＡＢ）７０２と点灯スイッチ端子（ＣＤ）７０２ｆとはＡＮＤ回路６３０の入力端子に接続される。ＡＮＤ回路６３０は２つの入力信号が“Ｈ”のときのみ、その出力が“Ｈ”となる。
【００８７】
次に、点灯装置２００の動作について説明する。
【００８８】
制御回路７００の故障検出端子（Ｂ）７０１、故障検出端子（Ｄ）７０１ｆに入力される電圧が正常電圧範囲の場合、制御回路７００は点灯スイッチ端子（ＡＢ）７０２と点灯スイッチ端子（ＣＤ）７０２ｆとから入力スイッチ３１０及び出力スイッチ６１０、入力スイッチ３１０ｆ及び出力スイッチ６１０ｆがそれぞれＯＮとなる信号を出力する。この状態で、直流電源２１１の電圧はＤＣ−ＤＣコンバータ２１２によって昇圧又は降圧され、一定電圧がＬＥＤユニット３０１ａ〜３０１ｄに印加される。ＤＣ−ＤＣコンバータ２１２は、直流電源２１１がバッテリ等、低い電圧を入力するものの場合は昇圧型コンバータであり、直流電源２１１が商用電源を整流平滑して得られた高い電圧を入力するものの場合は降圧型コンバータである。なお、直流電源２１１、ＤＣ−ＤＣコンバータ２１２からなる部分は、図１１（実施の形態４）に示した定電流電源２１０に相当する。
【００８９】
ＤＣ−ＤＣコンバータ２１２から入力スイッチ３１０を介してＬＥＤユニット３０１ａ，３０１ｂに電流が流れ、当該２つの電流はカレントミラー回路３２０により略等しい電流値になり、出力スイッチ６１０で合成される。また、ＤＣ−ＤＣコンバータ２１２から入力スイッチ３１０ｆを介してＬＥＤユニット３０１ｃ，３０１ｄに電流が流れ、当該２つの電流はカレントミラー回路３２０ｆにより略等しい電流値になり、出力スイッチ６１０ｆで合成される。
【００９０】
さらに、カレントミラー回路３２０とカレントミラー回路３２０ｆとのベース回路が共通になっているので、出力スイッチ６１０に流れる電流と出力スイッチ６１０ｆに流れる電流が等しくなる。
【００９１】
出力スイッチ６１０，６１０ｆに流れる電流は電流検出回路６２０を経由してＤＣ−ＤＣコンバータ２１２に回生される。ＡＮＤ回路６３０の２つの入力が“Ｈ”のとき、電流検出回路６２０内のＭＯＳ−ＦＥＴ６２３がＯＮとなり、検出抵抗６２１と検出抵抗６２２との合成抵抗に主電流が流れることになる。なお、検出抵抗６２１と検出抵抗６２２とは同抵抗値の抵抗で構成されている。電流検出回路６２０の検出電圧はＤＣ−ＤＣコンバータ２１２の帰還端子２１５に入力され、帰還端子２１５が所定電圧になるようＤＣ−ＤＣコンバータ２１２の出力電圧、即ち、ＤＣ−ＤＣコンバータ２１２の出力端子（＋）２１３からの電圧が制御される。なお、ＤＣ−ＤＣコンバータ２１２の一部、出力スイッチ６１０，６１０ｆ、電流検出回路６２０、ＡＮＤ回路６３０からなる部分は、やや構成が異なるが、図１１（実施の形態４）に示した電流フィードバック回路６００に相当する。
【００９２】
ＬＥＤユニット３０１ｂが故障した場合には、制御回路７００の故障検出端子（Ｂ）７０１の電圧が正常電圧範囲から外れ、制御回路７００は点灯スイッチ端子（ＡＢ）７０２を“Ｌ”（Ｌｏｗ）にして入力スイッチ３１０及び出力スイッチ６１０をＯＦＦにする。また、ＡＮＤ回路６３０の出力も“Ｌ”となるため、電流検出回路６２０内のＭＯＳ−ＦＥＴ６２３もＯＦＦとなり、ＬＥＤユニット３０１ｃ，３０１ｄに流れる電流はカレントミラー回路３２０ｆ、出力スイッチ６１０ｆを経由して電流検出回路６２０内の検出抵抗６２２に流れる。カレントミラー回路３２０ｆが単独で動作するため、前述のように電流の基準はＬＥＤユニット３０１ｃに流れる電流となり、ベース電流補償トランジスタ４０３からダイオード５０１を介してトランジスタ３０２ｃ，３０２ｄにベース電流が流れることになる。
【００９３】
ＬＥＤユニット３０１ｃ又はＬＥＤユニット３０１ｄが故障した場合は、制御回路７００の故障検出端子（Ｄ）７０１ｆの電圧が正常電圧範囲から外れ、制御回路７００は点灯スイッチ端子（ＣＤ）７０２ｆを“Ｌ”にして入力スイッチ３１０ｆ及び出力スイッチ６１０ｆをＯＦＦにし、ＬＥＤユニット３０１ｃ，３０１ｄに流れる電流を停止する。
【００９４】
ＬＥＤユニット３０１ａ〜３０１ｄのいずれが故障した場合も、ＡＮＤ回路６３０の出力により電流検出回路６２０の抵抗が２倍になるため、ＤＣ−ＤＣコンバータ２１２では全てのＬＥＤユニット３０１ａ〜３０１ｄが正常である場合に比べて出力電流が１／２になるよう制御され、点灯を継続するＬＥＤユニットに通常の電流の２倍の電流が流れ続けるということはない。
【００９５】
前述したように、ＬＥＤ素子はその構成より、Ｖｆの値のばらつきが大きい。例えば、同じ素子でもＶｆの低いもの（Ｖｆ（ＭＩＮ））で３．０Ｖ、Ｖｆの高いもの（Ｖｆ（ＭＡＸ））で３．８Ｖといったばらつきがある。ＶｆのばらつきのないＬＥＤを選定する方法もあるが、狭い範囲のＶｆを指定しての納入は、手間がかかり、コスト的、デリバリー的にも問題が生じる。
【００９６】
ここで、カレントミラー回路３２０に接続され、基準となる電流を流すＬＥＤユニット３０１ａがＶｆの低い（３．０Ｖとする）ＬＥＤを６個直列に接続したものとし、ＬＥＤユニット３０１ｂがＶｆの高い（３．８Ｖとする）ＬＥＤを６個直列に接続したものとして、ＬＥＤユニット３０１ａのＶｆ（Ａ）とＬＥＤユニット３０１ｂのＶｆ（Ｂ）とを比較した場合、ＬＥＤユニット３０１ａのＶｆ（Ａ）は３．０Ｖ×６個＝１８．０Ｖとなり、ＬＥＤユニット３０１ｂのＶｆ（Ｂ）は３．８Ｖ×６個＝２２．８Ｖとなる。即ち、Ｖｆ（Ａ）とＶｆ（Ｂ）の電圧差は４．８Ｖであり、ＬＥＤ素子１個分のＶｆより大きな値となる。こうなると、２つのＬＥＤユニット３０１ａ，３０１ｂの間でＶｆに差がある場合、この差が、ＬＥＤユニット３０１ａ，３０１ｂいずれかの中の素子が１個短絡故障したことによるものなのか、ＶｆにばらつきのあるＬＥＤを組み合わせたことによるものなのか判断することが困難となる。
【００９７】
また、基準となるＬＥＤユニット３０１ａのＶｆが低いときは、電流値が一定になるように動作するＤＣ−ＤＣコンバータ２１２の帰還端子２１５に入力した電圧により、ＤＣ−ＤＣコンバータ２１２の出力が制御されるが、ＬＥＤユニット３０１ｂに接続するトランジスタ３０２ｂのコレクタ−エミッタ間電圧Ｖｃｅがマイナス電位となってしまい、カレントミラー回路３２０の動作領域を外れてしまう可能性がある。
【００９８】
そこで、本実施例のように、ベース電流補償トランジスタ４０３に、基準電位Ｖｒｅｆを加える電圧補償回路５００を直列に接続し、電圧の差を補っておくことでＬＥＤユニット３０１ｂに対するカレントミラー動作をさせることが可能となる。
【００９９】
しかしながら、このとき、Ｖｒｅｆの値が大きいほど、ＬＥＤユニット３０１ａ，３０１ｂのＶｆのばらつきに対して有効であるが、むやみに大きくすると、単純にＶｒｅｆ分の電圧がＤＣ−ＤＣコンバータ２１２の出力に上乗せされる状態となるため、回路効率が悪化する。また、逆にＬＥＤユニット３０１ａのＶｆ（Ａ）が高く、ＬＥＤユニット３０１ｂのＶｆ（Ｂ）が低いときは、ベース電流補償トランジスタ４０３のＶｂｅとベース抵抗４０１とに、さらに電圧補償回路５００の電圧Ｖｒｅｆを足した電位をそのままトランジスタ３０２ｂが請け負うことになり、トランジスタ３０２ｂの損失が大きくなってしまう。そのため、ＬＥＤユニット３０１ａ，３０１ｂのＶｆのばらつきをなくすのに必要最小限のＶｒｅｆを選定することが望ましい。これにより、点灯回路の損失、特にカレントミラー回路を構成するトランジスタ３０２ａ〜３０２ｄの損失を少なくすることができる。なお、ＬＥＤのＶｆは、ＬＥＤに流す電流によっても変化するため、本実施例では、ＬＥＤに流す電流に応じたＶｒｅｆを選定する。
【０１００】
Ｖｆのばらつきが３．０Ｖ〜３．４ＶのＬＥＤを使用して実験を行ったところ、ＬＥＤの電流を１００ｍＡに設定した際に、Ｖｒｅｆを１．０〜１．３Ｖに設定することにより、Ｖｆのばらつきがどのような組み合わせになっても、ＬＥＤの故障を故障検出端子（Ｂ）７０１又は故障検出端子（Ｄ）７０１ｆで検出することができ、万一１個のＬＥＤの短絡故障を検出できず、カレントミラー回路３２０のトランジスタ３０２ａ，３０２ｂの電圧が高く保たれた場合でも、紙フェノール基板に実装したトランジスタ３０２ａ，３０２ｂに適当な放熱手段を施すことで、トランジスタ３０２ａ，３０２ｂの温度をジャンクション温度以下にすることができ、また、Ｖｒｅｆを挿入したことによって、回路効率を２％アップさせることができた。
【０１０１】
本実施例では、Ｖｒｅｆの電圧をもたせる手段（電圧補償回路５００，５００ｆ）として、実施例２のように、シャントレギュレータを用いているため、精度のよい回路が実現できる。なお、実施例１のように、ダイオードを１個又は数個直列にしてＶｒｅｆを生成しても、略同様の効果が得られるし、それ以外の実施例と同様の構成を採用しても構わない。
【０１０２】
本実施例では、制御回路７００のマイコンを大きなものにしたり、外付けのコンパレータ等の比較器を設けたりしないため、部品の数が増えることがなく、基板面積やサイズ、基板の両面化等をせずに、ＬＥＤの故障を検出し、それによる回路の破損がない点灯装置２００を提供できる。即ち、ＬＥＤユニット３０１ａ〜３０１ｄのラインが多数あっても、故障判定する際に、検出回路が複雑にならず、部品数、回路のサイズ、コストを抑えることができる。
【０１０３】
また、ＬＥＤの故障を明確にするため、ＬＥＤアレイ（ＬＥＤユニット）内の１つのＬＥＤがオープン故障した場合、オープン故障したＬＥＤアレイ（ＬＥＤユニット）を消灯することができる。
【０１０４】
以上、本発明の実施の形態について説明したが、これらのうち、２つ以上の実施の形態を組み合わせて実施しても構わない。あるいは、これらのうち、１つの実施の形態を部分的に実施しても構わない。あるいは、これらのうち、２つ以上の実施の形態を部分的に組み合わせて実施しても構わない。
【符号の説明】
【０１０５】
１００  誘導灯、１１０  本体、１２０  電源ユニット、１３０  パネルユニット、１３１  ＬＥＤユニット、１３２  導光板、１３３  誘導灯表示板、２００  点灯装置、２１０  定電流電源、２１１  直流電源、２１２  ＤＣ−ＤＣコンバータ、２１３  出力端子（＋）、２１４  出力端子（−）、２１５  帰還端子、３００ａ〜３００ｄ  直列回路部、３０１ａ〜３０１ｄ  ＬＥＤユニット、３０２ａ〜３０２ｄ  トランジスタ、３０３ａ〜３０３ｄ  エミッタ抵抗、３１０，３１０ｆ  入力スイッチ、３２０，３２０ｆ  カレントミラー回路、４００，４００ｆ  ベース電流補償回路、４０１，４０１ｆ  ベース抵抗、４０２，４０２ｆ  ベース電流補償抵抗、４０３，４０３ｆ  ベース電流補償トランジスタ、５００，５００ｆ  電圧補償回路、５００ａ  ダイオード、５００ｂ  シャントレギュレータ、５００ｃ  抵抗、５００ｄ  ツェナーダイオード、５００ｅ  ＬＥＤ、５０１  ダイオード、６００  電流フィードバック回路、６０１，６０１ａ，６０１ｆ  電流フィードバック抵抗、６０２  定電流制御回路、６０３，６０３ｆ  トランジスタ、６１０，６１０ｆ  出力スイッチ、６２０  電流検出回路、６２１，６２２  検出抵抗、６２３  ＭＯＳ−ＦＥＴ、６３０  ＡＮＤ回路、７００  制御回路、７０１  故障検出端子（Ｂ）、７０１ｆ  故障検出端子（Ｄ）、７０２  点灯スイッチ端子（ＡＢ）、７０２ｆ  点灯スイッチ端子（ＣＤ）。
【図１】
2011003649.tif 000003
【図２】
2011003649.tif 000004
【図３】
2011003649.tif 000005
【図４】
2011003649.tif 000006
【図５】
2011003649.tif 000007
【図６】
2011003649.tif 000008
【図７】
2011003649.tif 000009
【図８】
2011003649.tif 000010
【図９】
2011003649.tif 000011
【図１０】
2011003649.tif 000012
【図１１】
2011003649.tif 000013
【図１２】
2011003649.tif 000014